(57)【特許請求の範囲】
【請求項１】
左右一対のレンズ室ユニット内に光学素子が配置された複数の回転ディスクを設け，各回転ディスクを回転させることによって検眼窓に所定の光学素子を切換え配置して被検眼の屈折力を自覚的に検査する検眼装置において、被検眼に近い側に位置する第１回転ディスクであって、球面レンズ及び開口部を持つ球面レンズディスクと、円柱レンズ及び開口部を持つ円柱レンズディスクと、を有する第１回転ディスクと、被検眼に対して前記１回転ディスクよりも遠い側に位置し、補助レンズ及び開口部を持つ第２回転ディスクと、を備え、前記第２回転ディスクの径は前記第１回転ディスクの径と同じであり、前記第２回転ディスクの開口部の径は、前記第１回転ディスクに配置された何れの光学素子よりも大きく、かつ開口部が検眼窓に配置されたときの被検眼の視野角が少なくとも４０度となるように定められており、前記第２回転ディスクの補助レンズが検眼窓に配置されたときの被検眼の視野角は、第２回転ディスクの開口部が検眼窓に配置されたときの視野角よりも小さい、ことを特徴とする検眼装置。
【請求項２】
請求項１の検眼装置において、前記第２回転ディスクは、補助レンズ及び開口部をそれぞれ有し、被検眼側に近い順に配置された第１補助レンズディク及び第２補助レンズディクを含み、前記第１補助レンズディクの開口部の径は、前記第１回転ディスクに配置された何れの光学素子よりも大きく、前記第２補助レンズディクの開口部の径は、前記第１補助レンズディクの開口部の径よりもさらに大きいことを特徴とする検眼装置。
【発明の詳細な説明】
【技術分野】
【０００１】
本発明は、検眼の屈折力を自覚的に検査する検眼装置に関する。
【背景技術】
【０００２】
左右一対のレンズ室ユニット内に、球面レンズや円柱レンズ等の光学素子が配置された複数の回転ディスクをそれぞれ設け、各回転ディスクを回転させることによって任意の光学素子を検眼窓に切換え配置する自覚式の検眼装置が知られている（特許文献１参照）。このような検眼装置においては、検眼窓に配置される光学素子を通して見える視野が狭いために、検眼時において調節介入が起こり易い。特に球面レンズや円柱レンズを用いた検眼は、最も基本的な検眼作業となるため、これらの光学素子を用いた検眼時には特に調節介入の影響を抑制したいという要望がある。このような問題を解決するために、被検眼側に配置される光学素子の径に対して、それよりも遠い側に位置する光学素子の径を大きくすることにより、視野を広くし調節介入の影響を抑えるようにした装置が知られている（特許文献２参照）。
【特許文献１】特表平９−５０５２０９号公報
【特許文献２】特開２００４−２０８７０５号公報
【発明の開示】
【発明が解決しようとする課題】
【０００３】
しかしながら、検眼窓に配置する光学素子の位置によって、その径を変える場合、大きな径を持つ光学素子を配置することに応じてディスクの径も大きくなってしまい、その分、検眼装置自体が大きくなってしまう。
上記従来技術の問題点に鑑み、装置を大型化させることなく調節の介入を抑制すること、特に球面レンズや円柱レンズを用いた検眼において調節の介入を抑制して、精度のよい検査が行える検眼装置を提供することを技術課題とする。
【課題を解決するための手段】
【０００４】
上記課題を解決するために、本発明は以下のような構成を備えることを特徴とする。
（１）  左右一対のレンズ室ユニット内に光学素子が配置された複数の回転ディスクを設け，各回転ディスクを回転させることによって検眼窓に所定の光学素子を切換え配置して被検眼の屈折力を自覚的に検査する検眼装置において、被検眼に近い側に位置する第１回転ディスクであって、球面レンズ及び開口部を持つ球面レンズディスクと、円柱レンズ及び開口部を持つ円柱レンズディスクと、を有する第１回転ディスクと、被検眼に対して前記１回転ディスクよりも遠い側に位置し、補助レンズ及び開口部を持つ第２回転ディスクと、を備え、前記第２回転ディスクの径は前記第１回転ディスクの径と同じであり、前記第２回転ディスクの開口部の径は、前記第１回転ディスクに配置された何れの光学素子よりも大きく、かつ開口部が検眼窓に配置されたときの被検眼の視野角が少なくとも４０度となるように定められており、前記第２回転ディスクの補助レンズが検眼窓に配置されたときの被検眼の視野角は、第２回転ディスクの開口部が検眼窓に配置されたときの視野角よりも小さい、ことを特徴とする。
（２）  （１）の検眼装置において、前記第２回転ディスクは、補助レンズ及び開口部をそれぞれ有し、被検眼側に近い順に配置された第１補助レンズディク及び第２補助レンズディクを含み、前記第１補助レンズディクの開口部の径は、前記第１回転ディスクに配置された何れの光学素子よりも大きく、前記第２補助レンズディクの開口部の径は、前記第１補助レンズディクの開口部の径よりもさらに大きいことを特徴とする。
【発明の効果】
【０００５】
本発明によれば、装置を大型化させることなく、検眼時に調節の介入を抑制して精度のよい検査を行うことができる
【発明を実施するための最良の形態】
【０００６】
以下、本発明の実施の形態を図面に基づいて説明する。図１は実施形態の自覚式検眼装置を検者側から見た正面外観図である。
１は検眼装置本体であり、検眼装置本体１は左右対称な一対のレンズ室ユニット２と、この左右のレンズ室ユニット２を吊下げ支持する支持ユニット３を備える。左右のレンズ室ユニット２の内部には、球面レンズや円柱レンズなど多数の光学素子を同一円周上に配置した回転ディスクが回転可能に設けられており、左右のレンズ室ユニット２のそれぞれに設けられた検眼窓４に光学素子が切換え配置される。支持ユニット３は、被検者の瞳孔間距離に合わせて検眼窓４の間隔を変える為に、左右のレンズ室ユニット２の間隔を調整するスライド機構、及び左右のレンズ室ユニット２の輻輳角を調整する輻輳機構を持つ。このスライド機構及び輻輳機構は周知であり（例えば、特開平１０−１４８７２号公報参照）、本発明との関係は薄いので、その説明は省略する。８は検眼装置本体１を操作するためのコントローラである。
【０００７】
図２は、左眼測定用のレンズ室ユニット２を上側から見た部分断面図である。１０は測定光軸であり、Ｅは被検眼を示す。レンズ室ユニット２のカバー２０内には、それぞれ開口及び複数の光学素子を備える６枚の回転ディスク１１〜１６が軸３０を回転中心にして配置されている。各ディスクの配置は、被検眼Ｅ側から近い順に強球面レンズディスク１１、弱球面レンズディスク１２、強円柱レンズディスク１３、弱円柱レンズディスク１４、第１補助レンズディスク１５、第２補助レンズディスク１６となっている。各ディスクの外周にはギヤが形成されており、それぞれモータ１８ａ〜１８ｆにより回転され、光軸１０に配置する光学素子の切換えが行われる。なお、図２において、４０ａは検者側の検眼窓４に配置された保護ガラス、４０ｂは被検眼Ｅ側の検眼窓４′に配置された保護ガラスを示す。
【０００８】
各ディスクに配置されるレンズ構成例を図３に示す。各ディスクは少なくとも１つの素通しの開口（０Ｄの光学素子の場合を含む）を持つ。また、全てのディスク１１〜１６の直径は同じであり、１１０ｍｍ程である。本実施形態におけるディスク１１、１２は、光学素子を保持させるための１２個の穴を持つ。ディスク１１は、１１個の強度数（−３〜−１８Ｄ、＋３〜＋１５Ｄ）の球面レンズ１１０を保持するものであり、ディスク１２は１１個の弱度数（−０．２５〜−１Ｄ、＋０．２５〜＋１．７５Ｄ）の球面レンズ１２０を保持するものである。このディスク１１，１２に保持される球面レンズのレンズ径φ（直径）は、２０ｍｍ（有功径１９ｍｍ）である。
【０００９】
一方、ディスク１３、１４は、光学素子を保持させるための６個の穴を持つ。ディスク１３は、５個の強度数（−１．５〜−７．５Ｄ）の円柱レンズ１３０を保持するものであり、ディスク１６は５個の弱度数（−０．２５〜−１．２５Ｄ）の円柱レンズ１４０を保持するものである。円柱レンズ１３０及び１４０のレンズ径φは、２０ｍｍ（有効径１９ｍｍ）である。また、この円柱レンズ１３０及び１４０は、光軸１０を中心にそれぞれ回転可能に設けられている。
【００１０】
ディスク１５（図３のＡＵＸ１）は、第１群の補助レンズ１５０を保持するものである。開口以外の穴には、＋０．１２Ｄの球面レンズ、緑フィルタ／赤フィルタ（Ｒ／Ｇ）、分散プリズム（６／１０△）、±０．５Ｄのクロスシリンダレンズ（ＸＣ）、偏光板（Ｐ１３５，Ｐ４５）、＋０．１２Ｄ付き偏光板（0.12+P135,0.12+P45）、マドックスレンズ（ＭＲ）、等が設けられている。なお、遮蔽部（ＢＬ），ピンホール（ＰＨ）もディスク１５に設けられているが、これはディスク１５に一体成型により形成されている。このディスク１５に保持される補助レンズのレンズ径φ（直径）もまた、２０ｍｍ（有効径１９ｍｍ）である。
また、ディスク１５に形成される開口部１５１の開口径は、被検眼の視野角が従来に比べて大きく得られるように、ディスク１１〜１４に配置される光学素子の径よりも大きくなっている。本実施形態では、開口部１５１の被検者側の開口径をφ２０．５ｍｍ，検者側の開口径をφ２２ｍｍとしている。
【００１１】
ディスク１６（図３のＡＵＸ２）は、第２群の補助レンズ１６０を保持するものであり、開口以外の穴には、ロータリプリズム（ＲＰ）、±０．２５及び±０．５のクロスシリンダレンズ（ＸＣ）、±０．２５Ｄのオートクロスシリンダレンズ（ＡＸ）、眼幅調整用のマークが付された素通しのレンズ（ＰＤ）、＋１０Ｄの球面レンズ、−１０Ｄの球面レンズ、等の補助レンズが配置されている。ロータリプリズム、クロスシリンダレンズは、光軸１０を中心にそれぞれ回転可能に設けられている。ロータリプリズムはフレネル式のものにすれば、その厚みが抑えられ、有利である。このディスク１６に保持される補助レンズのレンズ径φ（直径）もまた、２０ｍｍ（有効径１９ｍｍ）である。
また、ディスク１６に形成される開口部１６１の開口径は、被検眼の視野角が従来に比べて大きく得られるように、ディスク１１〜１４に配置される光学素子の径よりも大きくなっている。本実施形態では、開口部１６１の被検者側の開口径をφ２２．５ｍｍ，検者側の開口径をφ２５．５ｍｍとしている。
【００１２】
なお、開口部１５１及び開口部１６１の被検者側の開口径と検者側の開口径とが、各々異なる径としているのは、検査窓にディスク１５，１６の開口部（１５１，１６１）が配置された状態であるときに、検査窓に配置された他のディスク（例えばディスク１４）の光学素子以外の光学素子（光軸１０上に配置された光学素子に隣接して配置されている光学素子）が検者側の検査窓から見えてしまい、見栄えが悪くなることを防ぐためである。また、見栄えを気にする必要がない場合、或いはディスク上における各光学素子の配置間隔が充分に広く、補助レンズディスクに形成される開口を通して、不要な光学素子が見えないようであれば、ディスク１５及び１６に設けられる開口部１５１，１６１の開口径は、被検者側、検者側ともに同じ径を有してもよい。
【００１３】
本実施形態では、第１補助レンズディスク（ディスク１５）と第２補助レンズディスク（ディスク１６）に配置される光学素子を使用しない基本的な検査（通常の視力検査、レッド・グリーン検査等）において、被検眼の視野角αを少なくとも４０°を確保するものとしている。このため、基本的な検査を行うために用いるディスク（球面レンズ及び円柱レンズを保持するディスク）を被検者側に集め、プリズム検査等の使用頻度の少ない検査用のディスク（補助レンズを保持するディスク）を検者側に配置するものとしている。
【００１４】
検眼時には、被検眼Ｅの角膜頂点と最も被検眼側のディスク１１に設けられた球面レンズ１１０との距離ＶＤを、所定の距離（日本の場合、ＶＤ＝１２ｍｍが多く用いられる）にする。被検眼Ｅの視野角αは、その検査に使用する最も被検眼から遠くに位置するディスクの光学素子の有効径と、球面レンズ１１０の光学面から最も被検眼から遠くに位置する光学素子までのレンズ距離ｄとによって定められる。球面レンズと円柱レンズのみを使用する基本的な検査の場合、最も被検眼から遠くに位置する光学素子は、ディスク１４の円柱レンズ１４０となる。したがって、円柱レンズ１４０の有効径φを１９ｍｍ、レンズ距離ｄ＝１２．４ｍｍとした場合、視野角α＝４０°を確保することができる。なお、この場合、ディスク１５，１６の開口部１５１，１６１の開口径は、この視野角４０°が確保できる大きさで形成される。また、検者側の検眼窓４に配置される保護ガラス４０ａの直径についても、開口部１６１より大きくして上記の視野角αを確保する。
【００１５】
図４は、ディスク１３、１４に設けられた円柱レンズ１３０、１４０、及びディスク１６に設けられた第２補助レンズ１６０の回転機構を説明する図である。円柱レンズ１３０は歯車を持つホルダ１３１により、光軸１０を中心に回転可能にディスク１４に取り付けられている。同様に、円柱レンズ１４０は歯車が形成されたホルダ１４１により、光軸１０を中心に回転可能にディスク１４に取り付けられている。ホルダ１３１及び１４１の歯車は、軸３０を中心に回転する太陽歯車２００に噛み合っており、太陽歯車２００に連結した歯車２０１、リレー歯車２０２を介してモータ２０３の回転が円柱レンズ１３０及び１４０に同時に伝達される。
【００１６】
また、補助レンズ１６０も歯車が形成されたホルダ１６２により、光軸１０を中心に回転可能にディスク１６に取り付けられている。ホルダ１６２の歯車は、軸３０を中心に回転する太陽歯車１６３に噛み合っており、この太陽歯車の内側に一体的に形成された歯車がリレー歯車１６４を介してモータ１６５に連結している。なお、図４に示すようにロータリプリズムをディスク１６に回転可能に取り付ける場合には、ディスク１６の反対側にも光軸１０を中心に回転可能なホルダを取り付け、そのホルダの歯車を太陽歯車１７３に噛み合わせる。太陽歯車１７３には歯車１７４が連結しており、この歯車１７４にリレー歯車１７５を介してモータ１７６の回転を伝達する。
【００１７】
検眼時には、被検眼Ｅを前述した所定距離ＶＤを確保した状態とし、検査（検眼）を行う。通常の視力検査やレッドグリーン検査等の基本的な検査においては、ディスク１１〜１４の光学素子が光軸１０上に配置されるとともに、ディスク１５，１６の開口部１５１，１６１が光軸１０上に配置される。本実施形態では被検眼に近い側に位置するディスク１１〜１４に保持される光学素子のレンズ径に対して、それより遠く側に位置するディスク１５〜１６に形成される開口部の径を大きくしている。このため所望する視野角α（ここでは４０°）を確保することが可能となる。また、本実施形態においてディスク１５，１６に保持される光学素子はディスク１１〜１４に保持される光学素子と同じ径であるため、ディスク１５，１６の径を大きくすることないため、装置全体の大型化を抑えることができる。なお、補助レンズを使用する場合には、視野角を広く取ることができないが、多用される検査ではないため、全体の検査への影響は少ない。
なお、本実施形態では、基本的な検査における視野角を４０°を確保するものとしているが、これに限るものではなく、本発明の技術思想を用いれば視野角を４０°より広くできることは言うまでもない。
【図面の簡単な説明】
【００１８】
【図１】本実施形態の自覚式検眼装置を検者側から見た状態を示す外観略図である。
【図２】レンズ室ユニットの内部機構を示す概略図である。
【図３】本実施形態におけるディスクに配置されるレンズ構成を示す図である。
【図４】ディスクに設けられた光学素子の回転機構を説明する図である。
【符号の説明】
【００１９】
１  検眼装置本体
２  レンズ室ユニット
４  検眼窓
８  コントローラ
１１  強球面レンズディスク
１２  弱球面レンズディスク
１３  強円柱レンズディスク
１４  弱円柱レンズディスク
１５  第１補助レンズディスク
１６  第２補助レンズディスク
【図１】
0004756959.tif 000002
【図２】
0004756959.tif 000003
【図３】
0004756959.tif 000004
【図４】
0004756959.tif 000005